【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
エントロピー復号器内でビデオ画像ブロックを復号する方法であって、
最小ブロックサイズ及び分割制約を表す構文要素を確認することによってブロックを２分割することが可能であるかどうかを判定し、２分割が可能でない場合は前記ブロックについて分割モードフラグをそれ以上復号しないこと、
２分割が可能である場合に前記ブロックを分割すべきかどうかを判定するための第１のフラグを復号すること、
最小ブロックサイズと水平分割制約及び垂直分割制約とを表す構文要素を確認することにより、２分割が許可される場合に水平分割又は垂直分割が前記ブロックについて許可されているかどうかを判定すること、及び
前記ブロックが水平方向に分割されるのか、又は垂直方向に分割されるのかを判定するための第２のフラグを復号すること
を含む、方法。
【請求項２】
エントロピー符号器内でビデオ画像ブロックを符号化する方法であって、
最小ブロックサイズに対するブロックのブロックサイズ及び任意の分割制約があるかどうかを確認することによって前記ブロックを２分割するかどうかを判定し、２分割が可能でない場合は前記ブロックについて分割モードフラグをそれ以上符号化しないこと、
２分割が可能である場合に前記ブロックを分割すべきかどうかを指示するための第１のフラグを符号化すること、
最小ブロックサイズに対する前記ブロックのブロックサイズ並びに水平分割制約及び垂直分割制約があるかどうかを確認することにより、２分割が許可される場合に水平分割又は垂直分割が前記ブロックについて許可されているかどうかを判定すること、及び
前記ブロックが水平方向に分割されるのか、又は垂直方向に分割されるのかを指示するための第２のフラグを符号化すること
を含む、方法。
【請求項３】
水平分割ブロックが前記ブロックの上側で分割されるのか若しくは下側で分割されるのか、又は垂直分割ブロックが前記ブロックの左側で分割されるのか若しくは右側で分割されるのかを指示するための２つの追加のフラグを使用することによって非対称コード化単位ブロックが使用可能にされる、請求項１又は２に記載の方法。
【請求項４】
非対称コード化単位がサイズ１６のブロックを含む、請求項３に記載の方法。
【請求項５】
非対称コード化単位がサイズ３２のブロックを含む、請求項３に記載の方法。
【請求項６】
エントロピー復号器内でビデオ画像ブロックを復号する機器であって、
メモリと、
最小ブロックサイズ及び分割制約を表す構文要素を確認することによってブロックを２分割することが可能であるかどうかを判定し、２分割が可能でない場合は前記ブロックについて分割モードフラグをそれ以上復号しないこと、
２分割が可能である場合に前記ブロックを分割すべきかどうかを判定するための第１のフラグを復号すること、
最小ブロックサイズと水平分割制約及び垂直分割制約とを表す構文要素を確認することにより、２分割が可能である場合に水平分割又は垂直分割が前記ブロックについて許可されているかどうかを判定すること、及び
前記ブロックが水平方向に分割されるのか、又は垂直方向に分割されるのかを判定するための第２のフラグを復号すること
によりビデオ画像ブロックを復号するように構成されるプロセッサと
を含む、機器。
【請求項７】
エントロピー符号器内でビデオ画像ブロックを符号化する機器であって、
メモリと、
最小ブロックサイズに対するブロックのブロックサイズ及び任意の分割制約があるかどうかを確認することによって前記ブロックを２分割するかどうかを判定し、２分割が可能でない場合は前記ブロックについて分割モードフラグをそれ以上符号化しないこと、
２分割が可能である場合に前記ブロックを分割すべきかどうかを指示するための第１のフラグを符号化すること、
最小ブロックサイズに対する前記ブロックのブロックサイズ並びに水平分割制約及び垂直分割制約があるかどうかを確認することにより、２分割が許可される場合に水平分割又は垂直分割が前記ブロックについて許可されているかどうかを判定すること、及び
前記ブロックが水平方向に分割されるのか、又は垂直方向に分割されるのかを指示するための第２のフラグを符号化すること
によりビデオ画像ブロックを復号するように構成されるプロセッサと
を含む、機器。
【請求項８】
水平分割ブロックが前記ブロックの上側で分割されるのか若しくは下側で分割されるのか、又は垂直分割ブロックが前記ブロックの左側で分割されるのか若しくは右側で分割されるのかを指示するための２つの追加のフラグを使用することによって非対称コード化単位ブロックが使用可能にされる、請求項６又は７に記載の機器。
【請求項９】
非対称コード化単位がサイズ１６のブロックを含む、請求項８に記載の機器。
【請求項１０】
非対称コード化単位がサイズ３２のブロックを含む、請求項８に記載の機器。
【請求項１１】
請求項２〜５の何れか一項に記載の方法を適用することにより２分木分割モードコード化を指示するためのフラグを含むピクチャ内のブロックを表す符号化データ
を含むようにフォーマットされるビデオ信号。
【請求項１２】
プロセッサによって実行されるとき、コンピュータプログラムが１個又は複数個のプロセッサによって実行される場合に請求項１〜５の何れか一項に記載の方法を前記プロセッサに実行させる命令を記憶する、非一時的コンピュータ可読記憶媒体。
【請求項１３】
請求項７〜１０の何れか一項に記載のビデオ画像ブロックを符号化する機器を含む、電子装置。
【請求項１４】
請求項６又は請求項８〜１０の何れか一項に記載のビデオ画像ブロックを復号する機器を含む、電子装置。
【手続補正２】
【補正対象書類名】明細書
【補正対象項目名】００５１
【補正方法】変更
【補正の内容】
【００５１】
本原理の「一実施形態」又は「或る実施形態」並びにそれらの他の異体に本明細書で言
及することは、実施形態に関連して記載した特定の特徴、構造、特性等が本原理の少なく
とも一実施形態に含まれることを意味する。従って、本明細書の全体を通して様々な場所
に登場する「一実施形態では」又は「或る実施形態では」という語句並びに他の異体の登
場は必ずしも全て同じ実施形態を指すものではない。
（付記１）
エントロピー復号器内でビデオ画像ブロックを復号する方法であって、
最小ブロックサイズ及び分割制約を表す構文要素を確認することによってブロックを２分割することが可能であるかどうかを判定し、２分割が可能でない場合は前記ブロックについて分割モードフラグをそれ以上復号しないこと（１３１０）、
２分割が可能である場合に前記ブロックを分割すべきかどうかを判定するための第１のフラグを復号すること（１３２０）、
最小ブロックサイズと水平分割制約及び垂直分割制約とを表す構文要素を確認することにより、２分割が許可される場合に水平分割又は垂直分割が前記ブロックについて許可されているかどうかを判定すること（１３３０）、及び
前記ブロックが水平方向に分割されるのか、又は垂直方向に分割されるのかを判定するための第２のフラグを復号すること（１３４０）
を含む、方法。
（付記２）
エントロピー符号器内でビデオ画像ブロックを符号化する方法であって、
最小ブロックサイズに対するブロックのブロックサイズ及び任意の分割制約があるかどうかを確認することによって前記ブロックを２分割するかどうかを判定し、２分割が可能でない場合は前記ブロックについて分割モードフラグをそれ以上符号化しないこと（１８１０）、
２分割が可能である場合に前記ブロックを分割すべきかどうかを指示するための第１のフラグを符号化すること（１８２０）、
最小ブロックサイズに対する前記ブロックのブロックサイズ並びに水平分割制約及び垂直分割制約があるかどうかを確認することにより、２分割が許可される場合に水平分割又は垂直分割が前記ブロックについて許可されているかどうかを判定すること（１８３０）、及び
前記ブロックが水平方向に分割されるのか、又は垂直方向に分割されるのかを指示するための第２のフラグを符号化すること（１８４０）
を含む、方法。
（付記３）
水平分割ブロックが前記ブロックの上側で分割されるのか若しくは下側で分割されるのか、又は垂直分割ブロックが前記ブロックの左側で分割されるのか若しくは右側で分割されるのかを指示するための２つの追加のフラグを使用することによって非対称コード化単位ブロックが使用可能にされる、付記１又は２に記載の方法。
（付記４）
非対称コード化単位がサイズ１６のブロックを含む、付記３に記載の方法。
（付記５）
非対称コード化単位がサイズ３２のブロックを含む、付記３に記載の方法。
（付記６）
エントロピー復号器内でビデオ画像ブロックを復号する機器であって、
メモリ（１９２０）と、
最小ブロックサイズ及び分割制約を表す構文要素を確認することによってブロックを２分割することが可能であるかどうかを判定し、２分割が可能でない場合は前記ブロックについて分割モードフラグをそれ以上復号しないこと、
２分割が可能である場合に前記ブロックを分割すべきかどうかを判定するための第１のフラグを復号すること、
最小ブロックサイズと水平分割制約及び垂直分割制約とを表す構文要素を確認することにより、２分割が可能である場合に水平分割又は垂直分割が前記ブロックについて許可されているかどうかを判定すること、及び
前記ブロックが水平方向に分割されるのか、又は垂直方向に分割されるのかを判定するための第２のフラグを復号すること
によりビデオ画像ブロックを復号するように構成されるプロセッサ（１９１０）と
を含む、機器。
（付記７）
エントロピー符号器内でビデオ画像ブロックを符号化する機器であって、
メモリ（１９２０）と、
最小ブロックサイズに対するブロックのブロックサイズ及び任意の分割制約があるかどうかを確認することによって前記ブロックを２分割するかどうかを判定し、２分割が可能でない場合は前記ブロックについて分割モードフラグをそれ以上符号化しないこと、
２分割が可能である場合に前記ブロックを分割すべきかどうかを指示するための第１のフラグを符号化すること、
最小ブロックサイズに対する前記ブロックのブロックサイズ並びに水平分割制約及び垂直分割制約があるかどうかを確認することにより、２分割が許可される場合に水平分割又は垂直分割が前記ブロックについて許可されているかどうかを判定すること、及び
前記ブロックが水平方向に分割されるのか、又は垂直方向に分割されるのかを指示するための第２のフラグを符号化すること
によりビデオ画像ブロックを復号するように構成されるプロセッサ（１９１０）と
を含む、機器。
（付記８）
水平分割ブロックが前記ブロックの上側で分割されるのか若しくは下側で分割されるのか、又は垂直分割ブロックが前記ブロックの左側で分割されるのか若しくは右側で分割されるのかを指示するための２つの追加のフラグを使用することによって非対称コード化単位ブロックが使用可能にされる、付記６又は７に記載の機器。
（付記９）
非対称コード化単位がサイズ１６のブロックを含む、付記８に記載の機器。
（付記１０）
非対称コード化単位がサイズ３２のブロックを含む、付記８に記載の機器。
（付記１１）
付記２〜５の何れか一つに記載の方法を適用することにより２分木分割モードコード化を指示するためのフラグを含むピクチャ内のブロックを表す符号化データ
を含むようにフォーマットされるビデオ信号。
（付記１２）
プロセッサによって実行されるとき、コンピュータプログラムが１個又は複数個のプロセッサによって実行される場合に付記１〜５の何れか一つに記載の方法を前記プロセッサに実行させる命令を記憶する、非一時的コンピュータ可読記憶媒体。
（付記１３）
付記７〜１０の何れか一つに記載のビデオ画像ブロックを符号化する機器を含む、電子装置。
（付記１４）
付記６又は付記８〜１０の何れか一つに記載のビデオ画像ブロックを復号する機器を含む、電子装置。